(57)【要約】【課題】強制初期化動作を行う回数を抑えつつ、安定した書込み動作を行い、コントラストを向上させる。【解決手段】プラズマディスプレイパネルと、強制初期化動作を行うサブフィールドを含む第１のフィールドまたは強制初期化動作を行うサブフィールドを含まない第２のフィールドを用いてパネルを駆動する駆動回路とを備えたプラズマディスプレイ装置であって、駆動回路は、パネルの画像表示領域を複数の部分表示領域に分割し、画像データと現フィールドの強制初期化動作の有無とに基づきそれぞれの部分表示領域における書込み放電の発生し難さを予測し不灯係数として出力する不灯係数算出部５１（１）〜５１（９６０）と、不灯係数の最大値を選択し最大不灯係数として出力する最大値選択部５３と、画像データと最大不灯係数とに基づき次フィールドの構成を第１のフィールドまたは第２のフィールドに設定する初期化判定部５５とを備えた。【選択図】図７
2011033922.tif 000002
【特許請求の範囲】
【請求項１】
走査電極と維持電極とデータ電極とを有する放電セルを複数備えたプラズマディスプレイパネルと、放電の履歴に関係なく前記放電セルで初期化放電を発生する強制初期化動作を行うサブフィールドを含む第１のフィールドまたは前記強制初期化動作を行うサブフィールドを含まない第２のフィールドを用いて前記プラズマディスプレイパネルを駆動する駆動回路とを備えたプラズマディスプレイ装置であって、
前記駆動回路は、
前記プラズマディスプレイパネルの画像表示領域を複数の部分表示領域に分割し、画像データと現フィールドの強制初期化動作の有無とに基づき、それぞれの部分表示領域における書込み放電の発生し難さを予測し、不灯係数として出力する不灯係数算出部と、
前記不灯係数の最大値を選択し、最大不灯係数として出力する最大値選択部と、
画像データと前記最大不灯係数とに基づき、次フィールドの構成を、前記第１のフィールドまたは前記第２のフィールドに設定する初期化判定部と
を備えたことを特徴とするプラズマディスプレイ装置。
【請求項２】
前記不灯係数算出部は、
現フィールドが前記第２のフィールドであり、かつ前記部分表示領域に対応する画像データの黒を表示する画素の比率が第１のしきい値以上であれば、前記不灯係数を増加させ、
現フィールドが前記第１のフィールドであるか、前記部分表示領域に対応する画像データの黒を表示する画素の比率が第１のしきい値未満であれば、前記不灯係数を減少または不変とすることを特徴とする請求項１に記載のプラズマディスプレイ装置。
【請求項３】
前記初期化判定部は、
前記画像表示領域全体に対する画像データの黒を表示する画素の比率が第２のしきい値未満であるか、前記最大不灯係数が第３のしきい値以上であれば、次フィールドの構成を前記第１のフィールドに設定することを特徴とする請求項１または２に記載のプラズマディスプレイ装置。
【請求項４】
前記初期化判定部が次フィールドの構成を前記第２のフィールドに設定する条件は、
前記画像表示領域全体に対する画像データの黒を表示する画素の比率が第２のしきい値以上であり、かつ前記最大不灯係数が第３のしきい値未満であるという条件を含むことを特徴とする請求項３に記載のプラズマディスプレイ装置。
【請求項５】
前記初期化判定部が次フィールドの構成を前記第２のフィールドに設定する条件は、
現フィールドが前記第１のフィールドであり、かつ前記最大不灯係数が第３のしきい値よりも小さい所定のしきい値未満であるという条件を含むことを特徴とする請求項４に記載のプラズマディスプレイ装置。
【発明の詳細な説明】
【技術分野】
【０００１】
本発明は、交流面放電型のプラズマディスプレイパネルを用いたプラズマディスプレイ装置に関する。
【背景技術】
【０００２】
プラズマディスプレイパネル（以下、「パネル」と略記する）は、走査電極と維持電極とデータ電極とを有する放電セルを複数備え、放電セル内でガス放電により発生させた紫外線で赤色、緑色および青色の各色の蛍光体を励起発光させてカラー表示を行っている。
【０００３】
パネルを駆動する方法としてはサブフィールド法、すなわち初期化期間と書込み期間と維持期間とを有するサブフィールドを複数用いて１つのフィールドを構成し、発光させるサブフィールドの組み合わせによって階調表示を行う方法が一般的である。各サブフィールドの初期化期間には初期化動作、書込み期間には書込み動作、維持期間には維持動作を行う。初期化動作は初期化放電を発生し、続く書込み動作に必要な壁電荷を形成する動作である。初期化動作には、放電の履歴に関係なく放電セルで初期化放電を発生させる強制初期化動作と、直前のサブフィールドで書込み放電を行った放電セルのみで初期化放電を発生させる選択初期化動作とがある。書込み動作は表示する画像に応じて放電セルで選択的に書込み放電を発生し壁電荷を形成する動作であり、維持動作は走査電極と維持電極とに交互に維持パルスを印加して維持放電を発生させ、対応する放電セルの蛍光体層を発光させる動作である。
【０００４】
サブフィールド法の中でも最も低い階調である黒を表示する際の輝度（以下、「黒輝度」と略記する）を下げ、階調表示に関係しない発光を極力減らしてコントラストを向上させる駆動方法が検討されている。例えば特許文献１には、強制初期化動作を行う回数を１フィールドに１回とし、緩やかに変化する傾斜波形電圧を用いて強制初期化動作を行う駆動方法が開示されている。
【先行技術文献】
【特許文献】
【０００５】
【特許文献１】特開２０００−２４２２２４号公報
【発明の概要】
【発明が解決しようとする課題】
【０００６】
近年、パネルはますます大画面化、高精細化され、それに伴い表示画像のさらなる高コントラスト化、高画質化が求められている。
【０００７】
特許文献１には、強制初期化動作を行うサブフィールドを１フィールドに１回とすることによりコントラストを高めた駆動方法が記載されているが、それ以上にコントラストを高めるために、強制初期化動作をさらに減らした駆動を考えることができる。
【０００８】
しかしながら、強制初期化動作には、続く書込み期間において書込み放電を発生させるために必要な壁電荷を蓄積する働きがあり、加えて放電遅れ時間を短くして書込み放電を確実に発生させるためのプライミングを発生するという働きも持っている。そのため単純に強制初期化動作を省略すると、書込み放電が発生しない、あるいは書込み放電の放電遅れ時間が長くなりすぎて書込み動作が不安定となり、正常な画像表示ができなくなるという課題があった。
【０００９】
本発明は、強制初期化動作を行う回数を抑えつつ、安定した書込み動作を行い、コントラストを向上させたプラズマディスプレイ装置を提供することを目的とする。
【課題を解決するための手段】
【００１０】
上記目的を達成するために本発明は、走査電極と維持電極とデータ電極とを有する放電セルを複数備えたパネルと、放電の履歴に関係なく放電セルで初期化放電を発生する強制初期化動作を行うサブフィールドを含む第１のフィールドまたは強制初期化動作を行うサブフィールドを含まない第２のフィールドを用いてパネルを駆動する駆動回路とを備えたプラズマディスプレイ装置であって、駆動回路は、パネルの画像表示領域を複数の部分表示領域に分割し、画像データと現フィールドの強制初期化動作の有無とに基づきそれぞれの部分表示領域における書込み放電の発生し難さを予測し不灯係数として出力する不灯係数算出部と、不灯係数の最大値を選択し最大不灯係数として出力する最大値選択部と、画像データと最大不灯係数とに基づき次フィールドの構成を第１のフィールドまたは第２のフィールドに設定する初期化判定部とを備えたことを特徴とする。この構成により、強制初期化動作を行う回数を抑えつつ、安定した書込み動作を行い、コントラストを向上させたプラズマディスプレイ装置を提供することができる。
【００１１】
また本発明のプラズマディスプレイ装置の不灯係数算出部は、現フィールドが第２のフィールドでありかつ部分表示領域に対応する画像データの黒を表示する画素の比率が第１のしきい値以上であれば不灯係数を増加させ、現フィールドが第１のフィールドであるか部分表示領域に対応する画像データの黒を表示する画素の比率が第１のしきい値未満であれば不灯係数を減少または不変とすることが望ましい。
【００１２】
また本発明のプラズマディスプレイ装置の初期化判定部は、画像表示領域全体に対する画像データの黒を表示する画素の比率が第２のしきい値未満であるか最大不灯係数が第３のしきい値以上であれば次フィールドの構成を第１のフィールドに設定することが望ましい。
【００１３】
また本発明のプラズマディスプレイ装置の初期化判定部が次フィールドの構成を第２のフィールドに設定する条件は、画像表示領域全体に対する画像データの黒を表示する画素の比率が第２のしきい値以上でありかつ最大不灯係数が第３のしきい値未満であるという条件を含むことが望ましい。
【００１４】
また本発明のプラズマディスプレイ装置の初期化判定部が次フィールドの構成を第２のフィールドに設定する条件は、現フィールドが第１のフィールドであり、かつ最大不灯係数が第３のしきい値よりも小さい所定のしきい値未満であるという条件を含んでもよい。
【発明の効果】
【００１５】
本発明によれば、強制初期化動作を行う回数を抑えつつ、安定した書込み動作を行い、コントラストを向上させたプラズマディスプレイ装置を提供することが可能となる。
【図面の簡単な説明】
【００１６】
【図１】本発明の実施の形態１におけるプラズマディスプレイ装置に用いるパネルの分解斜視図である。
【図２】同プラズマディスプレイ装置に用いるパネルの電極配列図である。
【図３】同プラズマディスプレイ装置に用いるパネルの各電極に印加する第１のフィールドにおける駆動電圧波形図である。
【図４】同プラズマディスプレイ装置に用いるパネルの各電極に印加する第２のフィールドにおける駆動電圧波形図である。
【図５】同プラズマディスプレイ装置の回路ブロック図である。
【図６】同プラズマディスプレイ装置の画像表示領域の分割を示す図である。
【図７】同プラズマディスプレイ装置の初期化制御回路の回路ブロック図である。
【図８】同プラズマディスプレイ装置の不灯係数算出部の動作を説明するためのフローチャートである。
【図９】同プラズマディスプレイ装置の初期化判定部の動作を示すフローチャートである。
【図１０】同プラズマディスプレイ装置の初期化制御回路の動作の一例を示す図である。
【図１１】本発明の実施の形態２におけるプラズマディスプレイ装置の不灯係数算出部の動作を説明するためのフローチャートである。
【図１２】同プラズマディスプレイ装置の初期化制御回路の動作の一例を示す図である。
【図１３】本発明の実施の形態３におけるプラズマディスプレイ装置の初期化判定部の動作を示すフローチャートである。
【発明を実施するための形態】
【００１７】
以下、本発明の実施の形態におけるプラズマディスプレイ装置について、図面を用いて説明する。
【実施例】
【００１８】
（実施の形態１）
図１は、本発明の実施の形態１におけるプラズマディスプレイ装置に用いるパネル１０の分解斜視図である。ガラス製の前面基板２１上には、走査電極２２と維持電極２３とからなる表示電極対２４が複数形成されている。そして表示電極対２４を覆うように誘電体層２５が形成され、その誘電体層２５上に保護層２６が形成されている。保護層２６は、放電を発生しやすくするために、電子放出性能の高い材料である酸化マグネシウムを用いて形成されている。背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色、緑色および青色の各色に発光する蛍光体層３５が設けられている。
【００１９】
これら前面基板２１と背面基板３１とは、微小な放電空間を挟んで表示電極対２４とデータ電極３２とが交差するように対向配置され、その外周部をガラスフリット等の封着材によって封着されている。そして放電空間には、放電ガスとして、例えばネオンとキセノンとの混合ガスが封入されている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００２０】
なお、パネル１０の構造は上述したものに限られるわけではなく、例えばストライプ状の隔壁を備えたものであってもよい。
【００２１】
図２は、本発明の実施の形態１におけるプラズマディスプレイ装置に用いるパネル１０の電極配列図である。パネル１０には、行方向に長いｎ本の走査電極ＳＣ１〜ＳＣｎ（図１の走査電極２２）およびｎ本の維持電極ＳＵ１〜ＳＵｎ（図１の維持電極２３）が配列され、列方向に長いｍ本のデータ電極Ｄ１〜Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成されている。そして互いに隣接して配置された、赤色に発光する放電セル、緑色に発光する放電セルおよび青色に発光する放電セルの１組が画像の最小単位である「画素」となる。
【００２２】
パネル１０には放電空間内に放電セルがｍ×ｎ個形成されている。そして放電セルが形成されている領域が画像表示領域である。
【００２３】
次に、パネル１０を駆動するための駆動電圧波形とその動作について説明する。プラズマディスプレイ装置は、サブフィールド法、すなわち１フィールドを複数のサブフィールドに分割し、サブフィールド毎に各放電セルの発光・非発光を制御することによって画像を表示する。それぞれのサブフィールドは初期化動作を行う初期化期間、書込み動作を行う書込み期間、および維持動作を行う維持期間を有する。初期化期間には初期化放電を発生し、続く書込み放電に必要な壁電荷を各電極上に形成する。このときの初期化動作には、放電の履歴に関係なく放電セルで初期化放電を発生させる強制初期化動作と、直前のサブフィールドで維持放電を行った放電セルのみで初期化放電を発生させる選択初期化動作とがある。書込み期間には、発光させるべき放電セルで選択的に書込み放電を発生し壁電荷を形成する。そして維持期間には、サブフィールド毎にあらかじめ決められた輝度重みに応じた数の維持パルスを表示電極対に交互に印加して、書込み放電を発生した放電セルで維持放電を発生させて発光させる。
【００２４】
サブフィールド構成としては、１フィールドを、例えば１０のサブフィールド（ＳＦ１、ＳＦ２、・・・、ＳＦ１０）に分割し、各サブフィールドはそれぞれ、例えば（１、２、３、６、１１、１８、３０、４４、６０、８０）の輝度重みを持つ。そして発光させるサブフィールドの組み合わせで任意の階調を表示することができる。例えば階調「４」を表示する放電セルは輝度重み「１」のＳＦ１と輝度重み「３」のＳＦ３とで発光させ、階調「９」を表示する放電セルは輝度重み「１」のＳＦ１と輝度重み「２」のＳＦ２と輝度重み「６」のＳＦ４とで発光させればよい。
【００２５】
また、黒、すなわち階調「０」は全てのサブフィールドで放電セルを発光させないことで表示することができる。この場合、黒を表示する放電セルは強制初期化動作でのみ発光するので、強制初期化動作を抑えることで黒輝度が低下し、コントラストを向上させることができる。一方、書込み放電を助けるプライミングは放電によって発生するが、黒を表示する放電セルではプライミングを発生させる機会が強制初期化動作における初期化放電しかない。したがって強制初期化動作を行う回数を抑えすぎるとプライミングが減少して書込み放電が困難となる。このように、表示する画像のコントラストと書込み放電の困難さの程度とは背反する。
【００２６】
本実施の形態においては、書込み放電の困難さを予測しながら書込み放電が不安定とならないように、フィールドの構成を強制初期化動作を行うサブフィールドを含む第１のフィールドと強制初期化動作を行わない第２のフィールドとのいずれかに設定している。
【００２７】
サブフィールドの設定の仕方については後述することとし、ここでは第１のフィールドおよび第２のフィールドの駆動電圧波形について説明する。
【００２８】
まず、第１のフィールドについて説明する。第１のフィールドはＳＦ１の初期化期間において強制初期化動作を行いＳＦ２〜ＳＦ１０の初期化期間において選択初期化動作を行うフィールドである。図３は、本発明の実施の形態１におけるプラズマディスプレイ装置に用いるパネル１０の各電極に印加する第１のフィールドにおける駆動電圧波形図である。
【００２９】
第１のフィールドのＳＦ１の初期化期間では、データ電極Ｄ１〜Ｄｍに電圧０（Ｖ）を印加し、維持電極ＳＵ１〜ＳＵｎにも電圧０（Ｖ）を印加する。そして走査電極ＳＣ１〜ＳＣｎには、維持電極ＳＵ１〜ＳＵｎに対する放電開始電圧以下の電圧Ｖｉ１から放電開始電圧を超える電圧Ｖｉ２に向かって緩やかに上昇する上り傾斜波形電圧を印加する。すると、走査電極ＳＣ１〜ＳＣｎと維持電極ＳＵ１〜ＳＵｎとの間、走査電極ＳＣ１〜ＳＣｎとデータ電極Ｄ１〜Ｄｍとの間でそれぞれ微弱な初期化放電が起こり、走査電極ＳＣ１〜ＳＣｎ上に負の壁電圧が蓄積されるとともにデータ電極Ｄ１〜Ｄｍ上および維持電極ＳＵ１〜ＳＵｎ上に正の壁電圧が蓄積される。ここで、電極上の壁電圧とは電極を覆う誘電体層上、保護層上、蛍光体層上等に蓄積された壁電荷により生じる電圧を表す。
【００３０】
次に、維持電極ＳＵ１〜ＳＵｎに電圧Ｖｅ１を印加し、走査電極ＳＣ１〜ＳＣｎに電圧Ｖｉ３から電圧Ｖｉ４に向かって緩やかに下降する下り傾斜波形電圧を印加する。すると走査電極ＳＣ１〜ＳＣｎと維持電極ＳＵ１〜ＳＵｎとの間、走査電極ＳＣ１〜ＳＣｎとデータ電極Ｄ１〜Ｄｍとの間で再び微弱な初期化放電が起こる。そして、走査電極ＳＣ１〜ＳＣｎ上の負の壁電圧および維持電極ＳＵ１〜ＳＵｎ上の正の壁電圧が弱められるとともに、データ電極Ｄ１〜Ｄｍ上の正の壁電圧が書込み動作に適した値に調整される。
【００３１】
このようにしてＳＦ１の初期化期間では、画像信号にかかわらず全ての放電セルで強制的に初期化放電を発生させ、以降の放電を発生させやすくするためのプライミングを発生するとともに書込み放電に必要な壁電荷を形成する。
【００３２】
続くＳＦ１の書込み期間では、まず走査電極ＳＣ１〜ＳＣｎに電圧Ｖｃを、データ電極Ｄ１〜Ｄｍに電圧０（Ｖ）を、維持電極ＳＵ１〜ＳＵｎに電圧Ｖｅ２をそれぞれ印加する。
【００３３】
次に、１行目の走査電極ＳＣ１に電圧Ｖａの走査パルスを印加するとともに、発光すべき放電セルに対応するデータ電極Ｄｋに電圧Ｖｄの書込みパルスを印加する。すると、データ電極Ｄｋと走査電極ＳＣ１との間および維持電極ＳＵ１と走査電極ＳＣ１との間で書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。このようにして、１行目に発光させるべき放電セルで書込み放電を起こして各電極上に壁電圧を蓄積する書込み動作が行われる。一方、書込みパルスを印加しなかったデータ電極Ｄ１〜Ｄｍと走査電極ＳＣ１との交差部の電圧は放電開始電圧を超えないので、書込み放電は発生しない。
【００３４】
以上の書込み動作をｎ行目の放電セルに至るまで繰り返し、発光すべき放電セルに対して選択的に書込み放電を発生させ壁電荷を形成する。
【００３５】
続くＳＦ１の維持期間では、まず維持電極ＳＵ１〜ＳＵｎに電圧０（Ｖ）を印加するとともに走査電極ＳＣ１〜ＳＣｎに電圧Ｖｓの維持パルスを印加する。すると書込み放電を起こした放電セルでは、走査電極ＳＣｉ上と維持電極ＳＵｉ上との電圧差は電圧Ｖｓに走査電極ＳＣｉ上の壁電圧と維持電極ＳＵｉ上の壁電圧との差を加算したものとなり放電開始電圧を超える。そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。一方、書込み期間において書込み放電が起きなかった放電セルでは維持放電は発生せず、初期化期間の終了時における壁電圧が保たれる。
【００３６】
続いて、走査電極ＳＣ１〜ＳＣｎには電圧０（Ｖ）を印加するとともに維持電極ＳＵ１〜ＳＵｎに電圧Ｖｓの維持パルスを印加する。すると、維持放電を起こした放電セルでは再び維持放電が起こり、蛍光体層３５が発光する。そして維持電極ＳＵｉ上に負の壁電圧が蓄積され走査電極ＳＣｉ上に正の壁電圧が蓄積される。以降同様に、走査電極ＳＣ１〜ＳＣｎと維持電極ＳＵ１〜ＳＵｎとに交互に輝度重みに応じた数の維持パルスを印加し、書込み期間において書込み放電を起こした放電セルで維持放電を継続して発生させる。
【００３７】
そして維持期間の最後には、電圧Ｖｒに向かって緩やかに上昇する上り傾斜波形電圧を走査電極ＳＣ１〜ＳＣｎに印加する。すると維持放電を行った放電セルでは消去放電が発生して、データ電極Ｄｋ上の正の壁電圧を残したまま、走査電極ＳＣｉ上および維持電極ＳＵｉ上の壁電圧が消去される。
【００３８】
なお、輝度重みに応じた維持パルスの数が「０」の場合には、走査電極ＳＣ１〜ＳＣｎおよび維持電極ＳＵ１〜ＳＵｎに維持パルスを印加することなく、到達電圧Ｖｒに向かって緩やかに上昇する上り傾斜波形電圧を走査電極ＳＣ１〜ＳＣｎに印加して消去放電を発生させる。
【００３９】
こうして維持期間における維持動作が終了する。
【００４０】
続くＳＦ２の初期化期間では選択初期化動作を行う。具体的には、維持電極ＳＵ１〜ＳＵｎに電圧Ｖｅ１を印加し、走査電極ＳＣ１〜ＳＣｎには電圧Ｖｉ４に向かって緩やかに下降する傾斜波形電圧を印加する。すると直前のサブフィールドであるＳＦ１の維持期間で維持放電を起こした放電セルでは微弱な初期化放電が発生し、走査電極ＳＣｉ上および維持電極ＳＵｉ上の壁電圧が弱められる。またデータ電極Ｄｋに対しては、直前の維持放電によってデータ電極Ｄｋ上に十分な正の壁電圧が蓄積されているので、この壁電圧の過剰な部分が放電され、書込み動作に適した壁電圧に調整される。一方、直前のサブフィールドであるＳＦ１で維持放電を起こさなかった放電セルについては放電することはなく、ＳＦ１の初期化動作終了時における壁電荷がそのまま保たれる。
【００４１】
続くＳＦ２の書込み期間の動作はＳＦ２の書込み期間の動作と同様である。すなわち走査電極ＳＣ１、ＳＣ２、・・・、ＳＣｎに走査パルスを順次印加するとともに、発光すべき放電セルに対応するデータ電極Ｄｋに電圧Ｖｄの書込みパルスを印加して書込み放電を発生させ、続く維持放電に必要な壁電荷を形成する。
【００４２】
続くＳＦ２の維持期間の動作もＳＦ２の維持期間の動作と同様である。すなわち輝度重みに応じた数の維持パルスを表示電極対に印加し、書込み期間において書込み放電を起こした放電セルで維持放電を発生させる。そして維持期間の最後には壁電圧を消去する消去放電を行う。
【００４３】
続くＳＦ３〜ＳＦ１０における動作は、維持パルスの数を除いてＳＦ２の動作と同様であるため、説明を省略する。以上がＳＦ１の初期化期間において強制初期化動作を行う第１のフィールドである。
【００４４】
このように第１のフィールドは強制初期化動作を行うフィールドであり、ＳＦ１の初期化期間に全ての放電セルで強制初期化動作を行っている。したがって第１のフィールドでは、画像信号にかかわらず全ての放電セルにプライミングが供給されるので、書込み放電の困難さは少なくなる。
【００４５】
次に、第２のフィールドについて説明する。第２のフィールドは全てのサブフィールドの初期化期間において選択初期化動作を行い、強制初期化動作を行わないフィールドである。図４は、本発明の実施の形態１におけるプラズマディスプレイ装置に用いるパネル１０の各電極に印加する第２のフィールドにおける駆動電圧波形図である。
【００４６】
第２のフィールドのＳＦ１の初期化期間では、データ電極Ｄ１〜Ｄｍに電圧０（Ｖ）を印加し、維持電極ＳＵ１〜ＳＵｎに電圧Ｖｅ１を印加し、走査電極ＳＣ１〜ＳＣｎに電圧Ｖｉ４に向かって緩やかに下降する下り傾斜波形電圧を印加する。すると直前のサブフィールドの維持期間で維持放電を起こした放電セルでは微弱な初期化放電が発生し、走査電極ＳＣｉ上および維持電極ＳＵｉ上の壁電圧が弱められる。またデータ電極Ｄｋに対しては、直前の維持放電によってデータ電極Ｄｋ上に十分な正の壁電圧が蓄積されているので、この壁電圧の過剰な部分が放電され、書込み動作に適した壁電圧に調整される。一方、直前のサブフィールドで維持放電を起こさなかった放電セルについては放電することはなく、直前のサブフィールドまたはそれ以前のサブフィールドの初期化動作終了時における壁電荷がそのまま保たれる。
【００４７】
続くＳＦ１の書込み期間では、走査電極ＳＣ１、ＳＣ２、・・・、ＳＣｎに電圧Ｖａの走査パルスを順次印加するとともに、発光すべき放電セルに対応するデータ電極Ｄｋに電圧Ｖｄの書込みパルスを印加して書込み放電を発生させ、続く維持放電に必要な壁電荷を形成する。
【００４８】
続くＳＦ１の維持期間では、輝度重みに応じた数の維持パルスを表示電極対に印加し、書込み期間において書込み放電を起こした放電セルで維持放電を発生させる。そして維持期間の最後には壁電圧を消去する消去放電を行う。
【００４９】
続く第２フィールドのＳＦ２〜ＳＦ１０における動作は第１のフィールドのＳＦ２〜ＳＦ１０における動作と同様であるため、説明を省略する。以上が強制初期化動作を行わない第２のフィールドである。
【００５０】
このように第２のフィールドは強制初期化動作を行わないので、黒を表示する放電セルでは放電が発生せずプライミングが不足する。したがって第２のフィールドが連続すると書込み放電の困難さが増加することになる。
【００５１】
なお、本実施の形態においては、走査電極ＳＣ１〜ＳＣｎに印加する電圧Ｖｉ１は１４５（Ｖ）、電圧Ｖｉ２は３００（Ｖ）、電圧Ｖｉ３は１９０（Ｖ）、電圧Ｖｉ４は−１５０（Ｖ）、電圧Ｖｃは−１０（Ｖ）、電圧Ｖａは−１５５（Ｖ）、電圧Ｖｓは１９０（Ｖ）、電圧Ｖｒは１９０（Ｖ）であり、維持電極ＳＵ１〜ＳＵｎに印加する電圧Ｖｅ１は１４０（Ｖ）、電圧Ｖｅ２は１５５（Ｖ）である。また走査電極ＳＣ１〜ＳＣｎに印加する上り傾斜波形電圧および下り傾斜波形電圧の傾斜はともに１２（Ｖ／μ）以下である。またデータ電極Ｄ１〜Ｄｍに印加する電圧Ｖｄは７５（Ｖ）である。しかしこれらの電圧値は上述した値に限定されるものではなく、パネルの放電特性やプラズマディスプレイ装置の仕様に基づき最適に設定することが望ましい。
【００５２】
次に、パネル１０を駆動するための駆動回路とその動作について説明する。図５は、本発明の実施の形態１におけるプラズマディスプレイ装置４０の回路ブロック図である。プラズマディスプレイ装置４０は、パネル１０とその駆動回路とを備え、駆動回路は、画像信号処理回路４１、データ電極駆動回路４２、走査電極駆動回路４３、維持電極駆動回路４４、タイミング発生回路４５、初期化制御回路４６および各回路ブロックに必要な電源を供給する電源回路（図示せず）を備えている。
【００５３】
画像信号処理回路４１は、入力された画像信号をサブフィールド毎の発光・非発光を示す画像データに変換する。データ電極駆動回路４２はサブフィールド毎の画像データを各データ電極Ｄ１〜Ｄｍに対応する書込みパルスに変換し各データ電極Ｄ１〜Ｄｍに印加する。
【００５４】
初期化制御回路４６は、画像表示領域を複数の部分表示領域に分割し、それぞれの部分表示領域において、次フィールドの画像データに基づき書込み放電の困難さの程度を表す不灯係数を算出する。そしてその不灯係数に基づき、フィールド毎に第１のフィールドおよび第２のフィールドのいずれかに設定するフィールド制御信号Ｆをタイミング発生回路４５に出力する。
【００５５】
タイミング発生回路４５は垂直同期信号Ｖ、水平同期信号Ｈ、およびフィールド制御信号Ｆに基づき、各回路ブロックの動作を制御する各種のタイミング信号を発生し、それぞれの回路ブロックへ供給する。走査電極駆動回路４３は、タイミング信号に基づいて上述した駆動電圧波形を発生し各走査電極ＳＣ１〜ＳＣｎのそれぞれに印加する。維持電極駆動回路４４は、タイミング信号に基づいて上述した駆動電圧波形を発生し維持電極ＳＵ１〜ＳＵｎに印加する。
【００５６】
図６は、本発明の実施の形態１におけるプラズマディスプレイ装置４０の画像表示領域の分割を示す図である。図６には、１９２０×１０８０画素の画像表示領域を、縦方向に２４分割、横方向に４０分割して、９６０個の部分表示領域Ｅ（１）〜Ｅ（９６０）に分割した例を図示している。初期化制御回路４６は、部分表示領域Ｅ（１）〜Ｅ（９６０）のそれぞれに対して不灯係数Ｂ（１）〜Ｂ（９６０）を算出する。なお画像表示領域の分割方法は上記に限定されるものではない。しかし粗く分割すると初期化制御の精度が悪くなり、細かく分割すると信号処理が煩雑になるので、１つの部分表示領域の大きさが数十画素×数十画素の程度となるように分割することが望ましい。
【００５７】
図７は、本発明の実施の形態１におけるプラズマディスプレイ装置４０の初期化制御回路４６の回路ブロック図である。初期化制御回路４６は、複数の不灯係数算出部５１（１）〜５１（９６０）、最大値選択部５３、初期化判定部５５、１フィールド遅延部５７を有する。
【００５８】
不灯係数算出部５１（１）〜５１（９６０）は、図６に示した９６０個の部分表示領域Ｅ（１）〜Ｅ（９６０）に対応して設けられ、次フィールドの画像データおよび現フィールドのフィールド構成に基づき、部分表示領域Ｅ（１）〜Ｅ（９６０）のそれぞれに対応する不灯係数Ｂ（１）〜Ｂ（９６０）を算出する。最大値選択部５３は、不灯係数Ｂ（１）〜Ｂ（９６０）の中から最も値の大きい不灯係数を選択し、最大不灯係数Ｂｍａｘとして出力する。
【００５９】
初期化判定部５５は、次フィールドの画像データ、最大不灯係数Ｂｍａｘ、および現フィールドのフィールド構成に基づいて強制初期化動作の要否を判定し、次フィールドのフィールド構成が第１のフィールドおよび第２のフィールドのいずれかを示すフィールド制御信号Ｆをタイミング発生回路４５に出力する。１フィールド遅延部５７は初期化判定部５５が出力したフィールド制御信号を１フィールドの期間、保持・遅延する。
【００６０】
次に、不灯係数算出部５１（１）〜５１（９６０）の動作について説明する。図８は、本発明の実施の形態１におけるプラズマディスプレイ装置４０の不灯係数算出部５１（１）〜５１（９６０）の動作を説明するためのフローチャートである。以下に、１つの不灯係数算出部５１（ｉ）が不灯係数Ｂ（ｉ）を算出する動作について説明する。
【００６１】
（ステップＳ１１）不灯係数Ｂ（ｉ）は、最初に初期値Ｂｏに設定されているものとする。
【００６２】
（ステップＳ１２）現フィールドのフィールド制御信号を入力する。そして現フィールドが強制初期化動作を行う第１のフィールドであれば、ステップＳ１７に進み、現フィールドの不灯係数Ｂ（ｉ）から「１」を減じる。一方、現フィールドが強制初期化動作を行わない第２のフィールドであれば、ステップＳ１３に進む。
【００６３】
（ステップＳ１３）次フィールドの画像データを入力し、部分表示領域Ｅ（ｉ）に表示する画像データの中の黒（すなわち階調「０」）の画素数を計測する。そしてその領域内における黒の画素数の比率が第１のしきい値未満であれば、ステップＳ１７に進み、現フィールドの不灯係数Ｂ（ｉ）から「１」を減じる。一方、第１のしきい値以上であれば、ステップＳ１４に進み、現フィールドの不灯係数Ｂ（ｉ）に「１」を加算する。なお、本実施の形態においては第１のしきい値を１％と設定している。
【００６４】
（ステップＳ１７）ステップＳ１７では、現フィールドの不灯係数Ｂ（ｉ）から「１」を減じる。ただし現フィールドの不灯係数Ｂ（ｉ）がすでに「０」であるときは不灯係数Ｂ（ｉ）を増減せず「０」のままとする。
【００６５】
（ステップＳ１８）次フィールドの不灯係数Ｂ（ｉ）を出力する。そしてフィールドが替わったらステップＳ１２に戻る。
【００６６】
このようにして、不灯係数算出部５１（ｉ）は、現フィールドが第２のフィールドでありかつ部分表示領域Ｅ（ｉ）に対応する画像データの黒を表示する画素の比率が第１のしきい値以上であれば不灯係数Ｂ（ｉ）を増加させ、現フィールドが第１のフィールドであるか部分表示領域Ｅ（ｉ）に対応する画像データの黒を表示する画素の比率が第１のしきい値未満であれば、不灯係数Ｂ（ｉ）を減少させる。
【００６７】
強制初期化動作を行わずかつ書込み放電も行わない放電セルではプライミングが発生しないので、書込み放電の困難さは増加すると考えられる。したがって、現フィールドが第２のフィールドであって、かつ黒の画素数が第１のしきい値以上である部分表示領域の不灯係数は増加させる。一方、強制初期化動作を行うか、書込み放電およびそれに続く維持放電を発生させるとプライミングが発生する。したがって、現フィールドが第１のフィールドであるか、または黒の画素数が第１のしきい値未満である部分表示領域の不灯係数は減少させる。このようにして、不灯係数算出部５１（１）〜５１（９６０）のそれぞれは、対応する部分表示領域の書込み放電の困難さの程度を表す不灯係数を算出している。
【００６８】
次に、初期化判定部５５の動作について説明する。図９は、本発明の実施の形態１におけるプラズマディスプレイ装置４０の初期化判定部５５の動作を示すフローチャートである。
【００６９】
（ステップＳ５２）次フィールドの画像データを入力し、画像表示領域全体の画像データの中の黒（すなわち階調「０」）の画素数を計測する。そして黒の画素数の比率が第２のしきい値未満であればステップＳ５８に進み、次フィールドのフィールド構成を第１のフィールドと設定する。黒の画素数が第２のしきい値以上であればステップＳ５４に進む。なお、本実施の形態においては第２のしきい値を３０％と設定している。
【００７０】
（ステップＳ５４）最大不灯係数Ｂｍａｘの値が第３のしきい値以上であればステップＳ５８に進み、次フィールドのフィールド構成を第１のフィールドと設定する。一方、最大不灯係数Ｂｍａｘの値が第３のしきい値未満であればステップＳ５６に進み、次フィールドのフィールド構成を第２のフィールドと設定する。なお、本実施の形態においては第３のしきい値を「３６００」と設定している。
【００７１】
（ステップＳ５９）次フィールドのフィールド構成を示すフィールド制御信号を出力する。そしてフィールドが替わったらステップＳ５２に戻る。
【００７２】
このようにして、初期化判定部５５は、画像表示領域全体に対する画像データの黒を表示する画素の比率が第２のしきい値未満であるか、最大不灯係数Ｂｍａｘが第３のしきい値以上であれば、次フィールドの構成を第１のフィールドに設定し、画像表示領域全体に対する画像データの黒を表示する画素の比率が第２のしきい値以上であり、かつ最大不灯係数Ｂｍａｘが第３のしきい値未満であれば次フィールドの構成を第２のフィールドに設定する。画像表示領域全体に対する黒の画素の比率が低い場合には、黒輝度を低下させコントラストを向上させても視覚的にその効果が認識され難いので、書込み放電の困難さを少なくすることを優先して、次フィールドを強制初期化動作を行う第１のフィールドと設定する。また黒の画素が多い場合には、コントラストを向上させた場合の視覚的効果は大きいが、最大不灯係数Ｂｍａｘの値が大きい場合には書込み放電が不安定となるおそれがあるので、やはり次フィールドを第１のフィールドと設定する。一方、黒の画素が多く、かつ最大不灯係数Ｂｍａｘの値が小さい場合には次フィールドを第２のフィールドに設定して、黒輝度を低下させてコントラストを向上させている。
【００７３】
次に、初期化制御回路４６の動作の一例について説明する。図１０は、本発明の実施の形態１におけるプラズマディスプレイ装置４０の初期化制御回路４６の動作の一例を示す図であり、黒の画素の少ない画像と黒の画素の多い画像とが交互に表示された場合の動作を示している。なお、最初のフィールドは第１のフィールドであるものとする。
【００７４】
時刻ｔ１において、黒の画素の比率が３０％未満の明るい画像を表示する。すると現フィールドが第１のフィールドであるので各不灯係数算出部５１（ｉ）は、不灯係数の初期値Ｂｏから「１」を減じて不灯係数Ｂ（ｉ）＝Ｂｏ−１を出力する。したがって最大不灯係数Ｂｍａｘ＝Ｂｏ−１である。またこのときの画像の黒の画素の比率が３０％未満であるので、初期化判定部５５は次フィールドを第１のフィールドに設定する。
【００７５】
以下同様に、黒の画素の比率が３０％未満の明るい画像が続く限り第１のフィールドが続き、また最大不灯係数Ｂｍａｘは減少し続ける。ただし最大不灯係数Ｂｍａｘは「０」よりも低下することはできない。例えば不灯係数の初期値Ｂｏが「４８００」であり、１フィールドが１／６０（秒）と仮定すると、最大不灯係数Ｂｍａｘは１フィールド毎に「１」ずつ低下するので、８０秒後に最大不灯係数Ｂｍａｘ＝０となる。そしてそれ以降は、最大不灯係数Ｂｍａｘは「０」のままである。
【００７６】
時刻ｔ２において、黒の画素の比率が３０％以上の暗い画像に切り替わったとする。すると、最大不灯係数Ｂｍａｘは「３６００」未満であるので、初期化判定部５５は次フィールドを第２のフィールドに設定する。そして黒の画素の比率が１％以上存在する部分表示領域に対応する不灯係数算出部５１（ｉ）は、現フィールドの不灯係数Ｂ（ｉ）＝０に「１」を加算して不灯係数Ｂ（ｉ）＝１を出力する。このような部分表示領域は必ず存在するので、最大不灯係数Ｂｍａｘは「１」となる。
【００７７】
以下同様に、黒の画素の比率が３０％以上の暗い画像が続くと最大不灯係数Ｂｍａｘは増加し続ける。
【００７８】
時刻ｔ３において、最大不灯係数Ｂｍａｘが「３６００」に達したとする。すると、黒の画素の比率が３０％以上であっても初期化判定部５５は次フィールドを第１のフィールドに設定する。
【００７９】
次のフィールドでは、現フィールドが第１のフィールドとなるので、不灯係数算出部５１（ｉ）は、現不灯係数Ｂ（ｉ）＝３６００から「１」を減じる。したがって最大不灯係数Ｂｍａｘ＝「３５９９」である。すると初期化判定部５５は次フィールドを第２のフィールドに設定する。
【００８０】
次のフィールドでは、現フィールドが第２のフィールドとなるので、各不灯係数算出部５１（ｉ）は、現不灯係数Ｂ（ｉ）に「１」を加算する。したがって最大不灯係数Ｂｍａｘ＝「３６００」である。すると初期化判定部５５は次フィールドを第１のフィールドに設定する。
【００８１】
以下同様に、第１のフィールドと第２のフィールドとを交互に繰り返す。
【００８２】
このように、黒の画素の比率の高い暗い画像では、強制初期化動作を行わず、黒輝度を低下させてコントラストの高い画像を表示している。しかし最大不灯係数Ｂｍａｘが第３のしきい値「３６００」に達すると、強制初期化動作を行う第１のフィールドに設定してプライミングを発生させるので、書込み放電の困難さがこれ以上増加することがない。
【００８３】
時刻ｔ４において、黒の画素が３０％未満の明るい画像に切り替わったとする。すると初期化判定部５５は次フィールドを第１のフィールドに設定する。
【００８４】
次のフィールドでは、現フィールドが第１のフィールドとなるので、不灯係数算出部５１（ｉ）は、現不灯係数Ｂ（ｉ）から「１」を減じ、最大不灯係数Ｂｍａｘも減少する。以下、明るい画像が続くと第１のフィールドが続き、最大不灯係数Ｂｍａｘも減少し続ける。
【００８５】
このように本実施の形態においては、不灯係数算出部５１（１）〜５１（９６０）は、パネル１０の画像表示領域を複数の部分表示領域Ｅ（１）〜Ｅ（９６０）に分割し、それぞれの部分表示領域において、画像データと現フィールドの強制初期化動作の有無とに基づき、それぞれの部分表示領域における書込み放電の発生し難さを予測し、その程度を表す不灯係数Ｂ（１）〜Ｂ（９６０）を算出する。最大値選択部５３は、不灯係数Ｂ（１）〜Ｂ（９６０）の最大値を選択し、最大不灯係数Ｂｍａｘを出力する。そして初期化判定部５５は、画像データと最大不灯係数Ｂｍａｘとに基づき、最大不灯係数Ｂｍａｘが第３のしきい値を超えないように、第１のフィールドと第２のフィールドとのいずれかに設定することで、画像表示領域全面にわたって書込み放電が困難となることがないようにフィールド構成を制御している。こうして黒輝度を抑制しつつ、安定した書込み動作を行い、コントラストを向上させている。
【００８６】
なお、上述したように本実施の形態においては、黒の画素の比率が高い暗い画像を長く表示すると第１のフィールドと第２のフィールドとを繰り返す。強制初期化動作に伴う輝度がある程度明るいと、この頻繁なフィールドの切り替えがフリッカとして認識されることがある。これを防ぐために、不灯係数の算出方法を変更した不灯係数算出部５１（１）〜５１（９６０）の動作を実施の形態２として以下に説明する。
【００８７】
（実施の形態２）
実施の形態２における不灯係数算出部５１（１）〜５１（９６０）の動作が実施の形態１と異なる点は、不灯係数に「１」を加算する動作、「１」を減じる動作に加えて、不灯係数を不変にする動作を追加した点である。
【００８８】
図１１は、本発明の実施の形態２におけるプラズマディスプレイ装置４０の不灯係数算出部５１（１）〜５１（９６０）の動作を説明するためのフローチャートである。なお、図８に示した実施の形態１におけるフローチャートのステップと同一のステップには同一の符号を付している。
【００８９】
（ステップＳ１１）不灯係数Ｂ（ｉ）は、最初に初期値Ｂｏに設定されているものとする。
【００９０】
（ステップＳ１２）現フィールドのフィールド制御信号を入力する。そして現フィールドが強制初期化動作を行う第１のフィールドであれば、ステップＳ２５に進み、現フィールドが強制初期化動作を行わない第２のフィールドであれば、ステップＳ１３に進む。
【００９１】
（ステップＳ１３）次フィールドの画像データを入力し、部分表示領域Ｅ（ｉ）に表示する画像データの中の黒（すなわち階調「０」）の画素数を計測する。そしてその領域内における黒の画素数の比率が第１のしきい値未満であれば、ステップＳ２５に進む。一方、第１のしきい値以上であれば、ステップＳ１４に進み、現フィールドの不灯係数Ｂ（ｉ）に「１」を加算する。なお、本実施の形態においても第１のしきい値を１％と設定している。
【００９２】
（ステップＳ２５）部分表示領域Ｅ（ｉ）に表示する画像データの中の黒の画素数の比率が第４のしきい値未満であれば、ステップＳ１７に進み、現フィールドの不灯係数Ｂ（ｉ）から「１」を減じる。一方、第４のしきい値以上であれば、ステップＳ２６に進み、現フィールドの不灯係数Ｂ（ｉ）を増減しない。なお、本実施の形態においては第４のしきい値を０．１％と設定している。
【００９３】
（ステップＳ１８）次フィールドの不灯係数Ｂ（ｉ）を出力する。そしてフィールドが替わったらステップＳ１２に戻る。
【００９４】
このようにして、不灯係数算出部５１（ｉ）は、現フィールドが第２のフィールドでありかつ部分表示領域Ｅ（ｉ）に対応する画像データの黒を表示する画素の比率が第１のしきい値以上であれば不灯係数Ｂ（ｉ）を増加させ、現フィールドが第１のフィールドであるか部分表示領域Ｅ（ｉ）に対応する画像データの黒を表示する画素の比率が第１のしきい値未満であれば、不灯係数Ｂ（ｉ）を減少または不変とする。すなわち、現フィールドが第２のフィールドであって、かつ黒の画素数が第１のしきい値以上である部分表示領域の不灯係数は増加させている。一方、強制初期化動作を行うか、書込み放電およびそれに続く維持放電を発生させるとプライミングは発生するが、黒の画素が第４のしきい値以上の場合には不灯係数を変化させず、黒の画素が第４のしきい値未満の場合のみ不灯係数を減少させている。
【００９５】
図１２は、本発明の実施の形態２におけるプラズマディスプレイ装置４０の初期化制御回路４６の動作の一例を示す図であり、実施の形態１と同様に、黒の画素の少ない画像と黒の画素の多い画像とが交互に表示された場合の初期化制御回路４６の動作を示している。
【００９６】
時刻ｔ１において、黒の画素が３０％未満の明るい画像を表示する。すると実施の形態１と同様に、最大不灯係数Ｂｍａｘ＝Ｂｏ−１であり、初期化判定部５５は次フィールドを第１のフィールドに設定する。その後、第１のフィールドが続き、また最大不灯係数Ｂｍａｘは不変または減少を続ける。
【００９７】
時刻ｔ２において、黒の画素が３０％以上の暗い画像に切り替わったとする。するとその後、第２のフィールドに切り替わり、最大不灯係数Ｂｍａｘは増加する。
【００９８】
時刻ｔ３において、最大不灯係数Ｂｍａｘが第３のしきい値である「３６００」に達したとする。すると、黒の画素が３０％以上であっても初期化判定部５５は次フィールドを第１のフィールドに設定する。
【００９９】
次のフィールドでは、現フィールドが第１のフィールドとなるが、黒の画素の比率が第４のしきい値以上となる部分表示領域Ｅ（ｉ）が存在すれば、不灯係数算出部５１（ｉ）は、現不灯係数Ｂ（ｉ）を増減することなく同じ値を出力する。したがって最大不灯係数Ｂｍａｘは「３６００」のままである。その結果、引き続き初期化判定部５５は次フィールドを第１のフィールドに設定する。
【０１００】
このように実施の形態２においては、初期化制御回路４６は、最大不灯係数Ｂｍａｘが「３６００」に達した後も次フィールドを第１のフィールドに設定するため、フリッカが発生するおそれがない。またこのように動作させることにより、最大不灯係数Ｂｍａｘの精度を向上することができる。
【０１０１】
なお、実施の形態２においては、初期化判定部５５の動作は実施の形態１における動作と同じであるものとして説明した。しかし、必要に応じてフィールド構成の判定条件を追加してもよい。以下に実施の形態３として、その一例について説明する。
【０１０２】
（実施の形態３）
図１３は、本発明の実施の形態３におけるプラズマディスプレイ装置４０の初期化判定部５５の動作を示すフローチャートである。なお、図９に示した実施の形態１におけるフローチャートのステップと同一のステップには同一の符号を付している。
【０１０３】
（ステップＳ６１）次フィールドの画像信号のＡＰＬを入力し、ＡＰＬが第５のしきい値以上であればステップＳ５８に進み、次フィールドのフィールド構成を第１のフィールドと設定する。ＡＰＬが第５のしきい値未満であればステップＳ５２に進む。なお、本実施の形態においては第５のしきい値は、例えば５％である。
【０１０４】
（ステップＳ５２）次フィールドの画像データを入力し、画像表示領域全体の画像データの中の黒の画素数の比率が第２のしきい値未満であればステップＳ５８に進み、次フィールドのフィールド構成を第１のフィールドと設定する。黒の画素数が第２のしきい値以上であればステップＳ６３に進む。ここでも第２のしきい値を３０％と設定している。
【０１０５】
（ステップＳ６３）次フィールドの画像信号の動画／静止画を判定し、動画であればステップＳ５８に進み、次フィールドのフィールド構成を第１のフィールドと設定する。静止画であればステップＳ５４に進む。
【０１０６】
（ステップＳ５４）最大不灯係数Ｂｍａｘの値が第３のしきい値以上であればステップＳ５８に進み、次フィールドのフィールド構成を第１のフィールドと設定する。一方、最大不灯係数Ｂｍａｘの値が第３のしきい値未満であればステップＳ６５に進む。ここでも第３のしきい値を「３６００」と設定している。
【０１０７】
（ステップＳ６５）現フィールドのフィールド制御信号を入力する。そして現フィールドが強制初期化動作を行う第１のフィールドであればステップＳ６７に進む。現フィールドが強制初期化動作を行わない第２のフィールドであればステップＳ５６に進み、次フィールドのフィールド構成を第２のフィールドと設定する。
【０１０８】
（ステップＳ６７）最大不灯係数Ｂｍａｘの値が、第３のしきい値よりも小さい所定のしきい値（第６のしきい値）以上であればステップＳ５８に進み、次フィールドのフィールド構成を第１のフィールドと設定する。一方、最大不灯係数Ｂｍａｘの値が第６のしきい値未満であればステップＳ５６に進み、次フィールドのフィールド構成を第２のフィールドと設定する。なお、本実施の形態においては第６のしきい値を第３のしきい値の１／２と設定した。
【０１０９】
（ステップＳ５９）次フィールドのフィールド構成を示すフィールド制御信号を出力する。そしてフィールドが替わったらステップＳ６１に戻る。
【０１１０】
このように、実施の形態３における初期化判定部５５が次フィールドの構成を第２のフィールドに設定する条件は、画像表示領域全体に対する画像データの黒を表示する画素の比率が第２のしきい値以上であり、かつ最大不灯係数Ｂｍａｘが第３のしきい値未満であるという条件を含む。加えて、現フィールドが第１のフィールドであり、かつ最大不灯係数Ｂｍａｘが第３のしきい値よりも小さい第６のしきい値未満であるという条件を含む。
【０１１１】
このように、実施の形態３における初期化判定部５５の動作のフローは、実施の形態１における各ステップに加えて、ステップＳ６１、ステップＳ６３、ステップＳ６５とステップＳ６７、が新たに追加されている。
【０１１２】
ステップＳ６１は、コントラスト向上の効果の少ない画像信号を検出するために設けられており、ＡＰＬの高い画像ではコントラストを向上させても視覚的にその効果が認識され難いので、次フィールドを第１のフィールドに設定する。
【０１１３】
ステップＳ６３は、特に静止画の多い画像信号に対してコントラストを向上させる上で有効である。静止画では各画素の階調がほとんど変化しないためプライミングが少なくても画像を表示することができる。そのため第３のしきい値を大きく設定することができ、その結果、第２のフィールドを連続して用いることができる時間を延長することができる。
【０１１４】
ステップＳ６５とステップＳ６７は、ステップＳ５４のフィールドの設定条件に、いわゆるヒステリシス特性を持たせるために設けている。すなわち、第１のフィールドから第２のフィールドに切り替わるためには最大不灯係数Ｂｍａｘの値が第６のしきい値「１８００」未満でなければならず、また第２のフィールドから第１のフィールドに切り替わるためには最大不灯係数Ｂｍａｘの値が第３のしきい値「３６００」以上でなければならない。このようにフィールドの設定条件にヒステリシス特性を持たせることにより、第１のフィールドと第２のフィールドとの頻繁な繰り返しを防ぎ、フリッカを抑制することができる。
【０１１５】
なお、ステップＳ６１、ステップＳ６３、ステップＳ６５とステップＳ６７、の３つのステップの組はそれぞれ独立に作用するため、図９に示したフローに独立に追加することができる。例えば、初期化判定部５５の動作のフローとして、図９に示したフローにステップＳ６３だけを追加してもよく、また図９に示したフローにステップＳ６１、ステップＳ６５とステップＳ６７を追加してもよい。
【０１１６】
また、本発明の実施の形態１〜３において用いた具体的な各数値は単なる一例に過ぎず、何らこれらの数値に限定されるものではない。これらの数値はパネルの特性やプラズマディスプレイ装置の仕様等に応じて最適に設定することが望ましい。
【産業上の利用可能性】
【０１１７】
本発明は、強制初期化動作を行う回数を抑えつつ、安定した書込み動作を行い、コントラストを向上させることができるので、プラズマディスプレイ装置として有用である。
【符号の説明】
【０１１８】
１０    パネル
２２    走査電極
２３    維持電極
３２    データ電極
４０    プラズマディスプレイ装置
４１    画像信号処理回路
４２    データ電極駆動回路
４３    走査電極駆動回路
４４    維持電極駆動回路
４５    タイミング発生回路
４６    初期化制御回路
５１（１）〜５１（９６０）    不灯係数算出部
５３    最大値選択部
５５    初期化判定部
５７    １フィールド遅延部
【図１】
2011033922.tif 000003
【図２】
2011033922.tif 000004
【図３】
2011033922.tif 000005
【図４】
2011033922.tif 000006
【図５】
2011033922.tif 000007
【図６】
2011033922.tif 000008
【図７】
2011033922.tif 000009
【図８】
2011033922.tif 000010
【図９】
2011033922.tif 000011
【図１１】
2011033922.tif 000012
【図１３】
2011033922.tif 000013
【図１０】
2011033922.tif 000014
【図１２】
2011033922.tif 000015